(57)【特許請求の範囲】
【請求項１】
２つの端局装置が接続されたシステムにおける現用予備の切替装置において、
各端局装置をそれぞれ構成する信号処理要素を直列接続した構成をとり、かつ前記信号処理要素は、自己の現用状態または予備状態の表示を行う表示装置を備える第１の回路と、
前記第１の回路と並列に接続されて、前記第１の回路と同じ信号が入力され、各端局装置をそれぞれ構成する信号処理要素を直列接続した構成をとり、かつ前記信号処理要素は、自己の現用状態または予備状態の表示を行う表示装置を備える第２の回路と、
前記第１の回路の最終端に接続され、前記第１の回路の出力信号の異常を検出する第１の異常検出手段と、
前記第２の回路の最終端に接続され、前記第２の回路の出力信号の異常を検出する第２の異常検出手段と、
前記第１の異常検出手段および前記第２の異常検出手段の検出結果に基づき、前記第１の回路の出力信号および前記第２の回路の出力信号のうちの一方を選択して出力する選択出力手段と、
前記選択出力手段によって出力信号が選択された側の回路を構成する各信号処理要素の前記表示装置全てに対して現用状態の表示を行わせ、前記選択出力手段によって出力信号が選択されなかった側の回路を構成する各信号処理要素の前記表示装置全てに対して予備状態の表示を行わせる表示制御手段と、
を有することを特徴とする現用予備の切替装置。
【請求項２】
２つの端局装置が接続されたシステムにおける現用予備の切替装置において、
各端局装置をそれぞれ構成する信号処理要素を直列接続した構成をとり、かつ前記信号処理要素は、自己の現用状態または予備状態の表示を行う表示装置を備える第１の回路と、
前記第１の回路と並列に接続されて、前記第１の回路と同じ信号が入力され、各端局装置をそれぞれ構成する信号処理要素を直列接続した構成をとり、かつ前記信号処理要素は、自己の現用状態または予備状態の表示を行う表示装置を備える第２の回路と、
前記第１の回路の最終端に接続され、前記第１の回路の出力信号の異常を検出する第１の異常検出手段と、
前記第２の回路の最終端に接続され、前記第２の回路の出力信号の異常を検出する第２の異常検出手段と、
前記第１の異常検出手段および前記第２の異常検出手段の検出結果に基づき、前記第１の回路の出力信号および前記第２の回路の出力信号のうちの一方を選択して出力する選択出力手段と、
前記選択出力手段によって出力信号が選択された側の回路の最終信号処理要素の前記表示装置に対して現用状態の表示を行わせ、前記選択出力手段によって出力信号が選択されなかった側の回路の最終信号処理要素の前記表示装置に対して予備状態の表示を行わせる表示制御手段と、
を有することを特徴とする現用予備の切替装置。
【請求項３】
２重化構成を有し、かつ送受信機能を備えた端局装置における現用予備の切替装置において、
第１の送信回路と、
前記第１の送信回路と並列に接続され、前記第１の送信回路と同じ信号が入力され、前記第１の送信回路と同じ構成の第２の送信回路と、
前記第２の送信回路と同一のパッケージに搭載された第１の受信回路と、
前記第１の受信回路と並列に接続され、前記第１の受信回路と同じ信号が入力され、前記第１の受信回路と同じ構成であり、前記第１の送信回路と同一のパッケージに搭載された第２の受信回路と、
前記第１の送信回路および前記第１の受信回路を現用として作動させ、前記第１の送信回路に異常が発生したときには前記第２の送信回路を現用に切替え、また、前記第１の受信回路に異常が発生したときには前記第２の受信回路を現用に切替える切替え制御手段と、
を有することを特徴とする現用予備の切替装置。
【発明の詳細な説明】
【０００１】
【発明の属する技術分野】
本発明は、２つの端局装置が接続されたシステムにおける現用予備の切替装置に関し、特に、それぞれが２重化構成を有し、かつそれぞれが送受信機能を備えるとともに、それぞれの伝送速度が互いに異なる２つの端局装置が接続されたシステムにおける現用予備の切替装置に関する。
【０００２】
光伝送方式の国際標準化がＩＴＵ−Ｔ(International Telecommunication Union-Telecommunication recommendation sector) によって進められており、現在、２．４Ｇｂ／ｓまでのディジタル信号を使用するシステムに対して、ＳＤＨ（Synchronous Digital Hierarchy)と呼ばれる信号多重化方式において標準化がなされている。一方、伝送方式の高速化に伴い、５Ｇｂ／ｓの信号を扱うシステムの開発が進んでいる。そのため、仕様が国際標準化されている２．４Ｇｂ／ｓの端局装置（以下「ＳＤＨＭＵＸ」と呼ぶ）と、未だ標準化されていない５Ｇｂ／ｓの端局装置（以下「ＳＬＴＥ」と呼ぶ）とが接続されるケースが発生する可能性が出てきた。そうした場合において、ＳＤＨＭＵＸおよびＳＬＴＥは、高信頼化のために通常二重化されている関係から、現用状態と予備状態との切替えを如何に行うかが課題となってきた。
【０００３】
【従来の技術】
従来、二重化された装置の切替え方法としては、図１３（Ａ），（Ｂ）に示すような方法がある。すなわち、図１３（Ａ）に示すように、現用装置（Ｗ）１０１と、これに並列に接続された予備装置（Ｐ）１０２とがあった場合、現用装置１０１の状態を監視していて、異常が発生すると、予備装置１０２へ切替えるようにする。
【０００４】
また、図１３（Ｂ）に示すように、直列に接続された現用装置（Ｗ１）１０３、現用装置（Ｗ２）１０４と、やはり直列に接続された予備装置（Ｐ１）１０５、予備装置（Ｐ２）１０６とがあり、これらが並列に接続されているとする。また、現用装置１０３と予備装置１０５とが同一構成であり、現用装置１０４と予備装置１０６とが同一構成であるとする。この場合において、予備装置１０５と現用装置１０４とを結び、また現用装置１０３と予備装置１０６とを結ぶようにする。そして、現用装置１０３に異常が発生したら、予備装置１０５の出力を現用装置１０４へ送るようにし、現用装置１０４に異常が発生したら、現用装置１０３の出力を予備装置１０６へ送るようにする。
【０００５】
このようにして、現用装置の異常時に対応の予備装置が作動するようにしてシステム全体の信頼性を確保するようにしている。
【０００６】
【発明が解決しようとする課題】
しかし、図１３（Ｂ）に示すシステムにおいて、現用装置１０３と予備装置１０５とから成るシステムと、現用装置１０４と予備装置１０６とから成るシステムとが別々のシステムであったとする。この場合には、図１３（Ｃ）に示すように、現用装置１０３が現用装置１０４に接続され、予備装置１０５が予備装置１０６に接続されるけれども、予備装置１０５と現用装置１０４とは接続されず、また、現用装置１０３と予備装置１０６とは接続されないことがあり得る。こうした構成における現用予備の切替え方法は従来なかった。
【０００７】
また、図１３（Ｃ）に示す各装置１０３〜１０６が送受信機能をそれぞれ備えていた場合に、例えば現用装置１０３の送信機能に異常が発生して、そのために、何らかの手段により、現用装置１０３の送信機能部を予備装置１０５の送信機能部に切替えたとする。その際、現用装置１０３において送受信機能部が同一のパッケージ（プリント配線板）に搭載されていた場合、現用装置１０３の送信機能部を修理しようとすると、現用装置１０３の受信機能部も予備装置１０５の受信機能部に予め切替えておき、現用装置１０３のパッケージを引き抜けるようにしておいた方がよい。しかし、こうしたことを考慮した現用予備の切替え装置や切替え方法は従来なかった。
【０００８】
さらに、現用予備の区別がつくように、各装置１０３〜１０６に表示ランプをそれぞれ設け、それらの表示ランプを現用時に点灯することが行われているが、現用装置１０３と予備装置１０５とから成るシステムと、現用装置１０４と予備装置１０６とから成るシステムとが別々のシステムであった場合、その点灯表示に問題が生じる。すなわち、図１３（Ｃ）において、現用装置１０４に異常が発生して、そのために、何らかの手段により、現用装置１０４と予備装置１０６とから成るシステムにおいて、現用装置１０４から予備装置１０６への切替えが行われたとする。この際、現用装置１０３と予備装置１０５とから成るシステムでは、現用装置１０３から予備装置１０５への物理的な切替え動作はないために、現用装置１０３の表示ランプが相変わらず点灯していることになる。
【０００９】
本発明はこのような点に鑑みてなされたものであり、２つの端局装置をそれぞれ構成する信号処理要素を直列接続した現用回路と、この現用回路と並列に接続され、現用回路と同じ信号が入力され、現用回路と同じ構成の予備回路とからなるシステムにおいて、現用予備の切替えを適切に行えるようにした現用予備の切替装置を提供することを目的とする。
【００１０】
【課題を解決するための手段】
本発明では上記目的を達成するために、図１に示すように、２つの端局装置をそれぞれ構成する信号処理要素を直列接続した第１の回路１と、第１の回路１と並列に接続され、第１の回路１と同じ信号が入力され、第１の回路１と同じ構成の第２の回路２と、第１の回路１の最終端に接続され、第１の回路１の出力信号の異常を検出する第１の異常検出手段３と、第２の回路２の最終端に接続され、第２の回路２の出力信号の異常を検出する第２の異常検出手段４と、第１の異常検出手段３および第２の異常検出手段４の検出結果に基づき、第１の回路１の出力信号および第２の回路２の出力信号のうちの一方を選択して出力する選択出力手段５と、を有することを特徴とする現用予備の切替装置が提供される。
【００１１】
以上のような構成において、第１の回路１および第２の回路２には同一の信号が入力されて、それぞれにおいて信号処理がされている。それらの出力信号を第１の異常検出手段３および第２の異常検出手段４がそれぞれ監視し、例えば第１の異常検出手段３が、第１の回路１の出力信号に異常があることを検出すると、選択出力手段５は、第２の回路２の出力信号を選択して出力するようにする。
【００１２】
こうして、第１の回路１と第２の回路２とからなるシステムにおいて、現用予備の切替えを適切に行うことが可能となる。
【００１３】
【発明の実施の形態】
以下、本発明の実施の形態を図面に基づいて説明する。
まず、第１の実施の形態の原理構成を、図１を参照して説明する。第１の実施の形態は、２つの端局装置をそれぞれ構成する信号処理要素を直列接続した第１の回路１と、第１の回路１と並列に接続され、第１の回路１と同じ信号が入力され、第１の回路１と同じ構成の第２の回路２と、第１の回路１の最終端に接続され、第１の回路１の出力信号の異常を検出する第１の異常検出手段３と、第２の回路２の最終端に接続され、第２の回路２の出力信号の異常を検出する第２の異常検出手段４と、第１の異常検出手段３および第２の異常検出手段４の検出結果に基づき、第１の回路１の出力信号および第２の回路２の出力信号のうちの一方を選択して出力する選択出力手段５とから構成される。
【００１４】
こうした第１の実施の形態の詳細な構成を図２〜図６を参照して説明する。
図２は、２つの端局装置ＳＤＨＭＵＸ(Synchronous Digital Hierarchy Multiplexer) の構成を示すブロック図である。ＳＤＨＭＵＸ（１）１０およびＳＤＨＭＵＸ（２）２０は同一の構成を有し、それぞれ、送信側では、顧客システムから送られた１４０Ｍｂ／ｓの各電気信号を多重して、現用（Ｗ; working side）の２．４Ｇｂ／ｓの光信号（信号Ｓ１，Ｓ５）として、および予備（Ｐ; protection side ）の２．４Ｇｂ／ｓの光信号（信号Ｓ３，Ｓ７）として出力する。また、受信側では、現用の２．４Ｇｂ／ｓの光信号（信号Ｓ２，Ｓ６）および予備の２．４Ｇｂ／ｓの光信号（信号Ｓ４，Ｓ８）を受信して１４０Ｍｂ／ｓの各電気信号に分離し、顧客システム側に送る。
【００１５】
ここで、ＳＤＨＭＵＸ（１）１０およびＳＤＨＭＵＸ（２）２０の内部構成を、ＳＤＨＭＵＸ（１）１０を例にして詳しく説明する。すなわち、ＳＷ＆ＤＩＳ（Switch and Distribution unit) １１は、顧客側の複数の回線の中から所定の回線を選択してその送信信号をＭＣ(Middle-speed Channel unit) １２ａ〜１２ｆへ送ったり、また逆に、ＭＣ１２ａ〜１２ｆから送られた受信信号を顧客側の所定の回線に送ったりする。ＭＣ１２ａ〜１２ｆは、１６個の現用装置ＭＣ１２ａ，１２ｃ，１２ｅと、それらに対応する１６個の予備装置ＭＣ１２ｂ，１２ｄ，１２ｆとから成り、ＳＷ＆ＤＩＳ１１から送られた信号をＩＴＵ−Ｔの規格に準拠したフォーマットＳＴＭ−１の信号に変換したり、その逆変換を行う。ＨＣ（High-speed Channel unit)１３ａ〜１３ｄは、ＭＣ４個毎に１個設けられ、４個の現用装置ＨＣ１３ａ，１３ｃと、それらに対応する４個の予備装置ＨＣ１３ｂ，１３ｄとから成る。そして、ＳＴＭ−１の信号４本を多重して６００Ｍｂ／ｓのフォーマットＳＴＭ−４の信号に変換したり、その逆変換を行う。ＨＭ（High-speed Multiplexer unit)１４ａ，１４ｂは、１個の現用装置ＨＭ１４ａと、それに対応する予備装置ＨＭ１４ｂとから成り、ＳＴＭ−４の信号４本をさらに多重して２．４Ｇｂ／ｓの信号に変換したり、その逆変換を行う。ＨＴ（High-speed Transmitter unit)１５ａ，１５ｂは、１個の現用装置ＨＴ１５ａと、それに対応する予備装置ＨＴ１５ｂとから成り、ＨＭ１４ａ，１４ｂから送られた２．４Ｇｂ／ｓの電気信号を現用および予備の光信号に変換して信号Ｓ１，Ｓ３として出力する。ＨＲ（High-speed Receiver unit) １６ａ，１６ｂは、１個の現用装置ＨＲ１６ａと、それに対応する予備装置ＨＲ１６ｂとから成り、現用および予備の２．４Ｇｂ／ｓの同一内容の光信号（信号Ｓ２，Ｓ４）を受信して電気信号に変換し、それぞれにおいて、信号に異常があるか否かをチェックする。そして、後述のＳＷインタフェースの制御に基づき、一方に異常があれば他方の信号をＨＭ１４ａ，１４ｂへ出力する。もし、両方とも正常な場合には現用装置ＨＲ１６ａ側の信号をＨＭ１４ａ，１４ｂへ出力する。
【００１６】
ＳＤＨＭＵＸ（２）２０も全く同様の構成を備えている。なお、ＳＤＨＭＵＸ（１）１０の出力信号Ｓ１〜Ｓ４にそれぞれ対応するＳＤＨＭＵＸ（２）２０の各出力信号をＳ５〜Ｓ８とする。
【００１７】
図３は、端局装置ＳＬＴＥ（Submarine Line Terminal Equipment)の構成を示すブロック図である。すなわち、ＳＬＴＥは、現用側のＳＬＴＥ（Ｗ）３０と予備側のＳＬＴＥ（Ｐ）３１とから成り、それぞれの送信側では、ＳＤＨＭＵＸ（１）１０およびＳＤＨＭＵＸ（２）２０から送られた２．４Ｇｂ／ｓの各光信号を一旦、電気信号に変換した上で多重して５Ｇｂ／ｓの多重信号を得、再び光信号に変換して、現用予備の一方だけを出力する。それぞれの受信側では、５Ｇｂ／ｓの同一の光信号を受信し、一旦、電気信号に変換した上で分離して２．４Ｇｂ／ｓの信号を得、再び光信号に変換して現用予備の両方をＳＤＨＭＵＸ（１）１０およびＳＤＨＭＵＸ（２）２０へ出力する。
【００１８】
ＳＤＨＭＵＸ（１）１０の現用側ＨＴ１５ａから送られた２．４Ｇｂ／ｓの信号Ｓ１が、ＳＬＴＥ（Ｗ）３０の送信側のＴＳ（Tributary Sending unit) ３０ａへ入力され、ＳＤＨＭＵＸ（２）２０の現用側ＨＴから送られた２．４Ｇｂ／ｓの信号Ｓ５が、ＳＬＴＥ（Ｗ）３０の送信側のＴＳ３０ｂへ入力される。ＴＳ３０ａおよびＴＳ３０ｂは、２．４Ｇｂ／ｓの光信号を電気信号にそれぞれ変換した上で５Ｇｂ／ｓの多重信号を作成し、ＯＳ（Optical Transmitter)３０ｃへ送る。ＯＳ３０ｃは、送られた信号に異常がないか否かをチェックする。そして、後述のＳＷインタフェースの制御に基づき、異常がなければ、その５Ｇｂ／ｓの電気信号を光信号に変換してカプラ３２へ出力する。もし、異常があればＯＳ３０ｃの光源（ＬＤ）をオフにしてその信号の出力を禁止する。
【００１９】
また同様に、ＳＤＨＭＵＸ（１）１０の予備側ＨＴ１５ｂから送られた２．４Ｇｂ／ｓの信号Ｓ３が、ＳＬＴＥ（Ｐ）３１の送信側のＴＳ（Tributary Sending unit) ３１ａへ入力され、ＳＤＨＭＵＸ（２）２０の予備側ＨＴから送られた２．４Ｇｂ／ｓの信号Ｓ７が、ＳＬＴＥ（Ｐ）３１の送信側のＴＳ３１ｂへ入力される。ＴＳ３１ａおよびＴＳ３１ｂは、２．４Ｇｂ／ｓの光信号を電気信号にそれぞれ変換したうえで５Ｇｂ／ｓの多重信号を作成し、ＯＳ（Optical Transmitter)３１ｃへ送る。ＯＳ３１ｃは、送られた信号に異常がないか否かをチェックする。そして、後述のＳＷインタフェースの制御に基づき、異常がなく、かつ、現用側のＯＳ３０ｃにおいて異常が検出されていれば、その５Ｇｂ／ｓの電気信号を光信号に変換してカプラ３２へ出力する。もし、異常があればＯＳ３１ｃの光源（ＬＤ）をオフにしてその信号の出力を禁止する。
【００２０】
受信側では、５Ｇｂ／ｓの光信号がカプラ３３により分岐されて、一方がＳＬＴＥ（Ｗ）３０の受信側のＯＲ(Optical Receiver)３０ｆへ送られ、他方がＳＬＴＥ（Ｐ）３１の受信側のＯＲ(Optical Receiver)３１ｆへ送られている。ＯＲ３０ｆは、５Ｇｂ／ｓの光信号を電気信号に変換してＴＲ（Tributary Receiving unit) ３０ｄおよびＴＲ（Tributary Receiving unit) ３０ｅへ出力する。ＴＲ３０ｄおよびＴＲ３０ｅは、２．４Ｇｂ／ｓの信号に分離した後、光信号にそれぞれ変換する。そしてＴＲ３０ｄは、信号Ｓ２をＳＤＨＭＵＸ（１）１０の現用側ＨＲ１６ａへ送り、ＴＲ３０ｅは、信号Ｓ６をＳＤＨＭＵＸ（２）２０の現用側ＨＲへ送る。
【００２１】
同様に、ＯＲ３１ｆは、５Ｇｂ／ｓの光信号を電気信号に変換してＴＲ（Tributary Receiving unit) ３１ｄおよびＴＲ（Tributary Receiving unit) ３１ｅへ出力する。ＴＲ３１ｄおよびＴＲ３１ｅは、２．４Ｇｂ／ｓの信号に分離した後、光信号にそれぞれ変換する。そしてＴＲ３１ｄは、信号Ｓ４をＳＤＨＭＵＸ（１）１０の予備側ＨＲ１６ｂへ送り、ＴＲ３１ｅは、信号Ｓ８をＳＤＨＭＵＸ（２）２０の予備側ＨＲへ送る。
【００２２】
図２のＳＤＨＭＵＸ（１）１０およびＳＤＨＭＵＸ（２）２０と、図３のＳＬＴＥ３０，３１とが接続された様子を図４に示す。なお図４では、本発明に直接関係ない部分の図示を省略している。
【００２３】
この図４に示すシステムにおいて、各信号に異常がなく、したがって各現用装置が作動している場合のシステムの作動状態を図５に示す。なお、図中の破線で示した信号ラインは、信号が遮断されていることを示している。
【００２４】
すなわち、送信側では、ＳＤＨＭＵＸ（１）１０のＨＴ１５ａから送られた２．４Ｇｂ／ｓの信号とＳＤＨＭＵＸ（２）２０のＨＴ２５ａから送られた２．４Ｇｂ／ｓの信号とが、ＳＬＴＥ（Ｗ）３０のＴＳ３０ａ，３０ｂで５Ｇｂ／ｓの信号に多重され、ＯＳ３０ｃおよびカプラ３２を介して線路へ出力される。一方、ＳＤＨＭＵＸ（１）１０のＨＴ１５ｂから送られた２．４Ｇｂ／ｓの信号とＳＤＨＭＵＸ（２）２０のＨＴ２５ｂから送られた２．４Ｇｂ／ｓの信号とが、ＳＬＴＥ（Ｐ）３１のＴＳ３１ａ，３１ｂで５Ｇｂ／ｓの信号に多重され、ＯＳ３１ｃへ送られるが、ＯＳ３１ｃからは出力されない。
【００２５】
また、受信側では、カプラ３３により分岐された５Ｇｂ／ｓの光信号が、ＳＬＴＥ（Ｗ）３０のＯＲ３０ｆを経て、ＴＲ３０ｄおよびＴＲ３０ｅへ送られ、そこで２．４Ｇｂ／ｓの信号に分離されて、ＳＤＨＭＵＸ（１）１０のＨＲ１６ａおよびＳＤＨＭＵＸ（２）２０のＨＲ２６ａへ送られる。そして、ＨＲ１６ａの出力はＨＭ１４ａおよびＨＭ１４ｂへ送られ、ＨＲ２６ａの出力はＨＭ２４ａおよびＨＭ２４ｂへ送られる。一方、カプラ３３により分岐された５Ｇｂ／ｓの光信号が、ＳＬＴＥ（Ｐ）３１のＯＲ３１ｆを経て、ＴＲ３１ｄおよびＴＲ３１ｅへ送られ、そこで２．４Ｇｂ／ｓの信号に分離されて、ＳＤＨＭＵＸ（１）１０のＨＲ１６ｂおよびＳＤＨＭＵＸ（２）２０のＨＲ２６ｂへ送られる。しかし、ＨＲ１６ｂおよびＨＲ２６ｂからの各出力は遮断される。
【００２６】
かくして、図１の第１の回路１は、図５に示すＳＤＨＭＵＸ（１）１０のＨＴ１５ａ、ＳＬＴＥ（Ｗ）３０のＴＳ３０ａに、並びにＳＤＨＭＵＸ（２）２０のＨＴ２５ａ、ＳＬＴＥ（Ｗ）３０のＴＳ３０ｂに対応し、この場合、図１の第２の回路２は、図５に示すＳＤＨＭＵＸ（１）１０のＨＴ１５ｂ、ＳＬＴＥ（Ｐ）３１のＴＳ３１ａに、並びにＳＤＨＭＵＸ（２）２０のＨＴ２５ｂ、ＳＬＴＥ（Ｐ）３１のＴＳ３１ｂに対応する。そして、図１の第１の異常検出手段３は、図５に示すＳＬＴＥ（Ｗ）３０のＯＳ３０ｃに対応し、図１の第２の異常検出手段４は、図５に示すＳＬＴＥ（Ｐ）３１のＯＳ３１ｃに対応する。
【００２７】
或いはまた、図１の第１の回路１は、図５に示すＳＬＴＥ（Ｗ）３０のＯＲ３０ｆ、ＴＲ３０ｄ、およびＳＤＨＭＵＸ（１）１０のＨＲ１６ａに、並びにＳＬＴＥ（Ｗ）３０のＯＲ３０ｆ、ＴＲ３０ｅ、およびＳＤＨＭＵＸ（２）２０のＨＲ２６ａに対応し、この場合、図１の第２の回路２は、図５に示すＳＬＴＥ（Ｐ）３１のＯＲ３１ｆ、ＴＲ３１ｄ、およびＳＤＨＭＵＸ（１）１０のＨＲ１６ｂに、並びにＳＬＴＥ（Ｐ）３１のＯＲ３１ｆ、ＴＲ３１ｅ、およびＳＤＨＭＵＸ（２）２０のＨＲ２６ｂに対応する。そして、図１の第１の異常検出手段３は、図５に示すＳＤＨＭＵＸ（１）１０のＨＲ１６ａおよびＳＤＨＭＵＸ（２）２０のＨＲ２６ａに対応し、図１の第２の異常検出手段４は、図５に示すＳＤＨＭＵＸ（１）１０のＨＲ１６ｂおよびＳＤＨＭＵＸ（２）２０のＨＲ２６ｂに対応する。
【００２８】
なおここで、ＳＤＨＭＵＸ（１）１０において、ＨＴ１５ａとＨＲ１６ａとが同一のパッケージに搭載され、また、ＨＴ１５ｂとＨＲ１６ｂとが同一のパッケージに搭載されているとする。同様に、ＳＤＨＭＵＸ（２）２０において、ＨＴ２５ａとＨＲ２６ａとが同一のパッケージに搭載され、また、ＨＴ２５ｂとＨＲ２６ｂとが同一のパッケージに搭載されているとする。
【００２９】
そして更に、ＳＤＨＭＵＸ（１）１０のＨＴ１５ａ、ＨＲ１６ａ、ＨＴ１５ｂ、およびＨＲ１６ｂには、図示を省略したが、自己の動作状態を表示するためのサービスランプがそれぞれ設けられているとする。これらは、後述のＳＷインタフェースによって点灯制御が行われる。ＳＤＨＭＵＸ（２）２０においても同様にサービスランプがそれぞれ設けられる。そして、ＳＬＴＥ（Ｗ）３０のＴＳ３０ａ、ＴＳ３０ｂ、ＯＳ３０ｃ、ＴＲ３０ｄ、ＴＲ３０ｅ、およびＯＲ３０ｆ、並びに、ＳＬＴＥ（Ｐ）３１のＴＳ３１ａ、ＴＳ３１ｂ、ＯＳ３１ｃ、ＴＲ３１ｄ、ＴＲ３１ｅ、およびＯＲ３１ｆにも同様に、サービスランプがそれぞれ設けられる。
【００３０】
図６は、ＳＷインタフェース４０を説明する構成図である。なお、図６では説明の都合上、ＳＤＨＭＵＸ（１）１０およびＳＤＨＭＵＸ（２）２０の内部の表記を変えているが、図２〜図５に示した構成と実質的な変更はない。そして、図６に太い実線で示すラインは主信号の流れるラインを示す。
【００３１】
まず新たに、ＳＤＨＭＵＸ（１）１０にＨＳ（High-speed Switch)１７，１８を設け、ＳＤＨＭＵＸ（２）２０にＨＳ（High-speed Switch)２７，２８を設ける。そして、ＳＷインタフェース４０を設け、これによって各部の運用状態を取り込み、所定の切替信号を出力するようにする。
【００３２】
すなわち、ＳＷインタフェース４０には、ＳＬＴＥ（Ｗ）３０のＴＳ３０ａ，３０ｂ，ＯＳ３０ｃからアラーム信号Ｓ１９が、また、ＳＬＴＥ（Ｐ）３１のＴＳ３１ａ，３１ｂ，ＯＳ３１ｃからアラーム信号Ｓ１８が入力される。アラーム信号Ｓ１９，Ｓ１８は、ＴＳ３０ａ，３０ｂ，ＯＳ３０ｃおよびＴＳ３１ａ，３１ｂ，ＯＳ３１ｃにおいて信号異常をそれぞれチェックした結果、異常があったときに発生する。また、ＯＳ３０ｃおよびＯＳ３１ｃのうちのどちらが現用状態であるかを示す信号Ｓ２０が入力される。さらに、ＳＷインタフェース４０には、ＳＤＨＭＵＸ（１）１０のＨＳ１８を介して、ＨＲ１６ａからアラーム信号Ｓ１５が、ＨＲ１６ｂからアラーム信号Ｓ１６が入力される。同様に、ＳＤＨＭＵＸ（２）２０のＨＳ２８を介して、ＨＲ２６ａからアラーム信号Ｓ１２が、ＨＲ２６ｂからアラーム信号Ｓ１３が入力される。これらのアラーム信号Ｓ１５，Ｓ１６，Ｓ１２，Ｓ１３も、対応のＨＲにおいて信号異常をそれぞれチェックした結果、異常があったときに発生する。そして、ＳＤＨＭＵＸ（１）１０のＨＲ１６ａおよびＨＲ１６ｂのうちのどちらが現用状態であるかを示す信号Ｓ１７がＨＳ１８から入力され、同様に、ＳＤＨＭＵＸ（２）２０のＨＲ２６ａおよびＨＲ２６ｂのうちのどちらが現用状態であるかを示す信号Ｓ１４がＨＳ２８から入力される。
【００３３】
一方、ＳＷインタフェース４０からは、ＳＬＴＥ（Ｗ）３０のＯＳ３０ｃおよびＳＬＴＥ（Ｐ）３１のＯＳ３１ｃに対して切替制御信号Ｓ２１が出力され、また、ＳＬＴＥ（Ｗ）３０のＯＲ３０ｆおよびＳＬＴＥ（Ｐ）３１のＯＲ３１ｆに対してランプ点灯制御信号Ｓ２１が出力される。切替制御信号は現用予備の切替えを指示する信号であり、ランプ点灯制御信号はサービスランプに対して点灯消灯の指示を行う信号である。また、ＳＷインタフェース４０からは、ＳＤＨＭＵＸ（１）１０のＨＲ１６ａおよびＨＲ１６ｂに対して、ＨＳ１８を介して切替制御信号Ｓ１１が出力され、同様に、ＳＤＨＭＵＸ（２）２０のＨＲ２６ａおよびＨＲ２６ｂに対して、ＨＳ２８を介して切替制御信号Ｓ１１が出力される。また、ＳＷインタフェース４０からは、ＳＤＨＭＵＸ（１）１０のＨＴ１５ａおよびＨＴ１５ｂに対して、ＨＳ１７を介してランプ点灯制御信号Ｓ１１が出力され、同様に、ＳＤＨＭＵＸ（２）２０のＨＴ２５ａおよびＨＴ２５ｂに対して、ＨＳ２７を介してランプ点灯制御信号Ｓ１１が出力される。ここでも、切替制御信号は現用予備の切替えを指示する信号であり、ランプ点灯制御信号はサービスランプに対して点灯消灯の指示を行う信号である。
【００３４】
さらに、ＳＷインタフェース４０には、現用予備の強制切替えや現用予備の強制保持をマニュアル操作により指示する信号Ｓ２２や、それらを遠隔操作により指示する信号Ｓ２３が入力される。
【００３５】
こうした構成のＳＷインタフェース４０は、ＳＬＴＥ（Ｗ）３０のＯＳ３０ｃおよびＳＬＴＥ（Ｐ）３１のＯＳ３１ｃを伴って、図１の選択出力手段５に対応する。また、ＳＷインタフェース４０は、ＳＤＨＭＵＸ（１）１０のＨＲ１６ａ、ＨＲ１６ｂおよびＳＤＨＭＵＸ（２）２０のＨＲ２６ａ、ＨＲ２６ｂを伴って、図１の選択出力手段５に対応する。
【００３６】
つぎに、ＳＷインタフェース４０の制御動作をフローチャートを参照して詳しく説明する。
図７は送信側に異常が発生した場合のＳＷインタフェース４０の制御手順を示すフローチャートである。ここでは、現用装置が作動中に現用装置に異常が発生した場合を想定している。以下、図中のステップに沿って説明する。
【００３７】
〔Ｓ１〕ＳＬＴＥ（Ｗ）３０のＯＳ３０ｃにおいて信号の異常を検出する。ここで検出される異常は、ＳＤＨＭＵＸ（１）１０のＨＴ１５ａ、ＳＤＨＭＵＸ（２）２０のＨＴ２５ａ、ＳＬＴＥ（Ｗ）３０のＴＳ３０ａ、３０ｂ、およびＯＳ３０ｃのいずれかの障害に起因するものである。
【００３８】
〔Ｓ２〕アラーム信号Ｓ１９をＳＷインタフェース４０へ送る。
〔Ｓ３〕予め設定された制御モードが個別切替えであるか、送受信同時切替えであるかを判別する。個別切替えが設定されていればステップＳ４へ進み、送受信同時切替えが設定されていればステップＳ９へ進む。
【００３９】
すなわち、前述のように、ＳＤＨＭＵＸ（１）１０において、ＨＴ１５ａとＨＲ１６ａとが同一のパッケージに搭載され、また、ＨＴ１５ｂとＨＲ１６ｂとが同一のパッケージに搭載され、同様に、ＳＤＨＭＵＸ（２）２０において、ＨＴ２５ａとＨＲ２６ａとが同一のパッケージに搭載され、また、ＨＴ２５ｂとＨＲ２６ｂとが同一のパッケージに搭載されている場合においては、送受信同時切替えを行なった方がよいことが多い。つまり、例えば送信側のＨＴ１５ａに障害が発生してそれを修理しようとした場合、同一パッケージに搭載されている受信側のＨＲ１６ｂも現用側から予備側に切替えておけば、そのパッケージを引き抜いて修理することができる。そうした場合には、送受信同時切替えの制御モードを予め設定しておく。パッケージに特に制約がない場合等には個別切替えの制御モードを予め設定しておく。
【００４０】
〔Ｓ４〕予備側のＳＬＴＥ（Ｐ）３１のＴＳ３０ａ，ＴＳ３０ｂ，ＯＳ３１ｃにおいて信号の異常が検出されているか否かをアラーム信号Ｓ１８により判別する。異常が検出されていなければステップＳ５へ進み、検出されていれば本処理を終了する（切替え動作を行わない）。
【００４１】
〔Ｓ５〕切替制御信号およびランプ点灯制御信号Ｓ２１をＳＬＴＥ（Ｗ）３０のＯＳ３０ｃおよびＳＬＴＥ（Ｐ）３１のＯＳ３１ｃへ送り、ＳＬＴＥ（Ｗ）３０を予備側に、ＳＬＴＥ（Ｐ）３１を現用側に切替えるとともに、ＳＬＴＥ（Ｗ）３０のＯＳ３０ｃ，ＴＳ３０ａ，ＴＳ３０ｂの各サービスランプを消灯し、ＳＬＴＥ（Ｐ）３１のＯＳ３１ｃ，ＴＳ３１ａ，ＴＳ３１ｂの各サービスランプを点灯させる。
【００４２】
〔Ｓ６〕ステップＳ５の切替えが完了していることを、信号Ｓ２０により確認する。未だ切り替わっていない場合にはステップＳ５へ戻る。
〔Ｓ７〕ランプ点灯制御信号Ｓ１１を、ＳＤＨＭＵＸ（１）１０のＨＳ１７およびＳＤＨＭＵＸ（２）２０のＨＳ２７へ出力する。
【００４３】
〔Ｓ８〕ランプ点灯制御信号Ｓ１１を、ＨＳ１７はＨＴ１５ａおよびＨＴ１５ｂに転送し、ＨＳ２７はＨＴ２５ａおよびＨＴ２５ｂに転送する。これによって、ＨＴ１５ａが消灯、ＨＴ１５ｂが点灯され、同様に、ＨＴ２５ａが消灯、ＨＴ２５ｂが点灯される。
【００４４】
これにより、現用予備の正確な状態表示が実現する。
〔Ｓ９〕予備側のＳＬＴＥ（Ｐ）３１のＴＳ３１ａ，ＴＳ３１ｂ，ＯＳ３１ｃ、並びに受信予備側のＳＤＨＭＵＸ（１）１０のＨＲ１６ｂおよびＳＤＨＭＵＸ（２）２０のＨＲ２６ｂにおいて信号の異常が検出されているか否かを、アラーム信号Ｓ１８，Ｓ１６，Ｓ１３により判別する。異常が検出されていなければステップＳ１０へ進み、検出されていれば本処理を終了する（切替え動作を行わない）。
【００４５】
〔Ｓ１０〕切替制御信号およびランプ点灯制御信号Ｓ２１をＳＬＴＥ（Ｗ）３０のＯＳ３０ｃおよびＳＬＴＥ（Ｐ）３１のＯＳ３１ｃへ送り、ＳＬＴＥ（Ｗ）３０を予備側に、ＳＬＴＥ（Ｐ）３１を現用側に切替えるとともに、ＳＬＴＥ（Ｗ）３０のＯＳ３０ｃ，ＴＳ３０ａ，ＴＳ３０ｂの各サービスランプを消灯し、ＳＬＴＥ（Ｐ）３１のＯＳ３１ｃ，ＴＳ３１ａ，ＴＳ３１ｂの各サービスランプを点灯させる。また、ランプ点灯制御信号Ｓ２１をＳＬＴＥ（Ｗ）３０のＯＲ３０ｆおよびＳＬＴＥ（Ｐ）３１のＯＲ３１ｆへ送り、ＳＬＴＥ（Ｗ）３０のＯＲ３０ｆ，ＴＲ３０ｄ，ＴＲ３０ｅの各サービスランプを消灯し、ＳＬＴＥ（Ｐ）３１のＯＲ３１ｆ，ＴＲ３１ｄ，ＴＲ３１ｅの各サービスランプを点灯させる。
【００４６】
これにより、現用予備の正確な状態表示が実現する。
〔Ｓ１１〕ステップＳ１０におけるＳＬＴＥ（Ｗ）３０の予備側への切替え、およびＳＬＴＥ（Ｐ）３１の現用側への切替えが完了していることを、信号Ｓ２０により確認する。未だ切替わっていない場合にはステップＳ１０へ戻る。
【００４７】
〔Ｓ１２〕切替制御信号およびランプ点灯制御信号Ｓ１１を、ＳＤＨＭＵＸ（１）１０のＨＳ１７，１８およびＳＤＨＭＵＸ（２）２０のＨＳ２７，２８へ出力する。
【００４８】
〔Ｓ１３〕切替制御信号およびランプ点灯制御信号Ｓ１１を、ＨＳ１８はＨＲ１６ａおよびＨＲ１６ｂに転送し、ＨＳ２８はＨＲ２６ａおよびＨＲ２６ｂに転送する。これによって、ＨＲ１６ａが予備側に切替えられるとともにサービスランプが消灯され、ＨＲ１６ｂが現用側に切替えられるとともにサービスランプが点灯される。同様に、ＨＲ２６ａが予備側に切替えられるとともに消灯され、ＨＲ２６ｂが現用側に切替えられるとともに点灯される。
【００４９】
このように受信側も送信側と同時に切替えを行ってしまうことにより、送受信機能が同一のパッケージに搭載されている場合に、パッケージを引き抜いて修理することができ、修理がし易くなる。
【００５０】
〔Ｓ１４〕ステップＳ１３における現用予備の切替えが完了していることを、信号Ｓ１４，Ｓ１７により確認する。未だ切替わっていない場合にはステップＳ１３へ戻る。
【００５１】
〔Ｓ１５〕ランプ点灯制御信号Ｓ１１を、ＨＳ１７はＨＴ１５ａおよびＨＴ１５ｂに転送し、ＨＳ２７はＨＴ２５ａおよびＨＴ２５ｂに転送する。これによって、ＨＴ１５ａのサービスランプが消灯され、、ＨＴ１５ｂのサービスランプが点灯される。同様に、ＨＴ２５ａが消灯され、ＨＴ２５ｂが点灯される。
【００５２】
これにより、現用予備の正確な状態表示が実現する。
つぎに、図８および図９は受信側に異常が発生した場合のＳＷインタフェース４０の制御手順を示すフローチャートである。ここでは、現用装置が作動中に現用装置に異常が発生した場合を想定している。以下、図のステップに沿って説明する。
【００５３】
〔Ｓ２１〕ＳＤＨＭＵＸ（１）１０のＨＲ１６ａまたはＳＤＨＭＵＸ（２）２０のＨＲ２６ａにおいて信号の異常を検出する。ＨＲ１６ａで異常が検出された場合はステップＳ２２へ進み、ＨＲ２６ａで異常が検出された場合はステップＳ２９へ進み、ＨＲ１６ａおよびＨＲ２６ａで同時に異常が検出された場合はステップＳ３６へ進む。
【００５４】
ＨＲ１６ａで異常が検出された場合は、ＳＤＨＭＵＸ（１）１０のＨＲ１６ａまたはＳＬＴＥ（Ｗ）３０のＴＲ３０ｄに障害が発生している。ＨＲ２６ａで異常が検出された場合は、ＳＤＨＭＵＸ（２）２０のＨＲ２６ａまたはＳＬＴＥ（Ｗ）３０のＴＲ３０ｅに障害が発生している。ＨＲ１６ａおよびＨＲ２６ａで同時に異常が検出された場合は、ＳＬＴＥ（Ｗ）３０のＯＲ３０ｆに障害が発生している。
【００５５】
〔Ｓ２２〕アラーム信号Ｓ１５をＳＷインタフェース４０へ送る。
〔Ｓ２３〕予め設定された制御モードが個別切替えであるか、送受信同時切替えであるかを判別する。個別切替えが設定されていればステップＳ２４へ進み、送受信同時切替えが設定されていれば図９のステップＳ４３へ進む。
【００５６】
〔Ｓ２４〕ＳＤＨＭＵＸ（１）１０の予備側のＨＲ１６ｂにおいて信号の異常が検出されていないかをアラーム信号Ｓ１６により判別する。異常が検出されていなければステップＳ２５へ進み、検出されていれば本処理を終了する（切替え動作を行わない）。
【００５７】
〔Ｓ２５〕切替制御信号およびランプ点灯制御信号Ｓ１１をＳＤＨＭＵＸ（１）１０のＨＳ１８へ送る。
〔Ｓ２６〕ＨＳ１８は切替制御信号およびランプ点灯制御信号Ｓ１１を、ＳＤＨＭＵＸ（１）１０のＨＲ１６ａおよびＨＲ１６ｂへ転送し、ＨＲ１６ａを予備側に切替えるとともにサービスランプを消灯させ、ＨＲ１６ｂを現用側に切り替えるとともにサービスランプを点灯させる。
【００５８】
〔Ｓ２７〕ステップＳ２６の実行によって現用予備の切替えが完了していることを、信号Ｓ１７により確認する。未だ切替わっていない場合にはステップＳ２５へ戻る。
【００５９】
〔Ｓ２８〕ランプ点灯制御信号Ｓ２１を、ＳＬＴＥ（Ｗ）３０のＴＲ３０ｄおよびＳＬＴＥ（Ｐ）３１のＴＲ３１ｄに送り、ＳＬＴＥ（Ｗ）３０のＴＲ３０ｄのサービスランプを消灯させ、ＳＬＴＥ（Ｐ）３１のＴＲ３１ｄのサービスランプを点灯させる。
【００６０】
これにより、現用予備の正確な状態表示が実現する。
〔Ｓ２９〕アラーム信号Ｓ１２をＳＷインタフェース４０へ送る。
〔Ｓ３０〕予め設定された制御モードが個別切替えであるか、送受信同時切替えであるかを判別する。個別切替えが設定されていればステップＳ３１へ進み、送受信同時切替えが設定されていれば図９のステップＳ４３へ進む。
【００６１】
〔Ｓ３１〕ＳＤＨＭＵＸ（２）２０の予備側のＨＲ２６ｂにおいて信号の異常が検出されていないかをアラーム信号Ｓ１３により判別する。異常が検出されていなければステップＳ３２へ進み、検出されていれば本処理を終了する（切替え動作を行わない）。
【００６２】
〔Ｓ３２〕切替制御信号およびランプ点灯制御信号Ｓ１１をＳＤＨＭＵＸ（２）１０のＨＳ２８へ送る。
〔Ｓ３３〕ＨＳ２８は切替制御信号およびランプ点灯制御信号Ｓ１１を、ＳＤＨＭＵＸ（２）２０のＨＲ２６ａおよびＨＲ２６ｂへ転送し、ＨＲ２６ａを予備側に切替えるとともにサービスランプを消灯させ、ＨＲ２６ｂを現用側に切替えるとともにサービスランプを点灯させる。
【００６３】
〔Ｓ３４〕ステップＳ３３の実行によって現用予備の切替えが完了していることを、信号Ｓ１４により確認する。未だ切替わっていない場合にはステップＳ３２へ戻る。
【００６４】
〔Ｓ３５〕ランプ点灯制御信号Ｓ２１を、ＳＬＴＥ（Ｗ）３０のＴＲ３０ｅおよびＳＬＴＥ（Ｐ）３１のＴＲ３１ｅに送り、ＳＬＴＥ（Ｗ）３０のＴＲ３０ｅのサービスランプを消灯させ、ＳＬＴＥ（Ｐ）３１のＴＲ３１ｅのサービスランプを点灯させる。
【００６５】
これにより、現用予備の正確な状態表示が実現する。
〔Ｓ３６〕アラーム信号Ｓ１５，Ｓ１２をＳＷインタフェース４０へ送る。
〔Ｓ３７〕予め設定された制御モードが個別切替えであるか、送受信同時切替えであるかを判別する。個別切替えが設定されていればステップＳ３８へ進み、送受信同時切替えが設定されていれば図９のステップＳ４３へ進む。
【００６６】
〔Ｓ３８〕ＳＤＨＭＵＸ（１）１０の予備側のＨＲ１６ｂにおいて信号の異常が検出されていないかをアラーム信号Ｓ１６により判別する。また、ＳＤＨＭＵＸ（２）２０の予備側のＨＲ２６ｂにおいて信号の異常が検出されていないかをアラーム信号Ｓ１３により判別する。両方において異常が検出されていなければステップＳ３８へ進み、検出されていれば本処理を終了する。
【００６７】
〔Ｓ３９〕切替制御信号およびランプ点灯制御信号Ｓ１１をＳＤＨＭＵＸ（１）１０のＨＳ１８およびＳＤＨＭＵＸ（２）１０のＨＳ２８へ送る。
〔Ｓ４０〕ＨＳ１８は切替制御信号およびランプ点灯制御信号Ｓ１１を、ＳＤＨＭＵＸ（１）１０のＨＲ１６ａおよびＨＲ１６ｂへ転送し、ＨＲ１６ａを予備側に切替えるとともにサービスランプを消灯させ、ＨＲ１６ｂを現用側に切替えるとともにサービスランプを点灯させる。また、ＨＳ２８は切替制御信号およびランプ点灯制御信号Ｓ１１を、ＳＤＨＭＵＸ（２）２０のＨＲ２６ａおよびＨＲ２６ｂへ転送し、ＨＲ２６ａを予備側に切替えるとともにサービスランプを消灯させ、ＨＲ２６ｂを現用側に切替えるとともにサービスランプを点灯させる。
【００６８】
〔Ｓ４１〕ステップＳ４０の実行によって現用予備の切替えが完了していることを、信号Ｓ１７，Ｓ１４により確認する。未だ切替わっていない場合にはステップＳ３９へ戻る。
【００６９】
〔Ｓ４２〕ランプ点灯制御信号Ｓ２１を、ＳＬＴＥ（Ｗ）３０のＯＲ３０ｆおよびＳＬＴＥ（Ｐ）３１のＯＲ３１ｆに送り、ＳＬＴＥ（Ｗ）３０のＴＲ３０ｄのサービスランプを消灯させ、ＳＬＴＥ（Ｐ）３１のＴＲ３１ｄのサービスランプを点灯させる。また、ＳＬＴＥ（Ｗ）３０のＴＲ３０ｄ，ＴＲ３０ｅのサービスランプを消灯させ、ＳＬＴＥ（Ｐ）３１のＴＲ３１ｄ，ＴＲ３１ｅのサービスランプを点灯させる。
【００７０】
これにより、現用予備の正確な状態表示が実現する。
つぎに図９に移って、
〔Ｓ４３〕ＳＤＨＭＵＸ（１）１０の予備側のＨＲ１６ｂにおいて信号の異常が検出されていないかをアラーム信号Ｓ１６により判別する。また、ＳＤＨＭＵＸ（２）２０の予備側のＨＲ２６ｂにおいて信号の異常が検出されていないかをアラーム信号Ｓ１３により判別する。さらに、ＳＬＴＥ（Ｐ）３１のＴＲ３１ｄ，ＴＲ３１ｅ，ＯＳ３１ｃにおいて信号の異常が検出されていないかをアラーム信号Ｓ１８により判別する。いずれにも異常が検出されていなければステップＳ４４へ進み、検出されていれば本処理を終了する（切替え動作を行わない）。
【００７１】
〔Ｓ４４〕切替制御信号およびランプ点灯制御信号Ｓ２１をＳＬＴＥ（Ｗ）３０のＯＳ３０ｃおよびＳＬＴＥ（Ｐ）３１のＯＳ３１ｃへ送り、ＳＬＴＥ（Ｗ）３０を予備側に、ＳＬＴＥ（Ｐ）３１を現用側に切替えるとともに、ＳＬＴＥ（Ｗ）３０のＯＳ３０ｃ，ＴＳ３０ａ，ＴＳ３０ｂの各サービスランプを消灯し、ＳＬＴＥ（Ｐ）３１のＯＳ３１ｃ，ＴＳ３１ａ，ＴＳ３１ｂの各サービスランプを点灯させる。また、ランプ点灯制御信号Ｓ２１をＳＬＴＥ（Ｗ）３０のＯＲ３０ｆおよびＳＬＴＥ（Ｐ）３１のＯＲ３１ｆへ送り、ＳＬＴＥ（Ｗ）３０のＯＲ３０ｆ，ＴＲ３０ｄ，ＴＲ３０ｅの各サービスランプを消灯し、ＳＬＴＥ（Ｐ）３１のＯＲ３１ｆ，ＴＲ３１ｄ，ＴＲ３１ｅの各サービスランプを点灯させる。
【００７２】
このように送信側も、後述の受信側の切替えとともに同時に切替えを行ってしまうことにより、送受信機能が同一のパッケージに搭載されている場合に、パッケージを引き抜いて修理することができ、修理がし易くなっている。
【００７３】
〔Ｓ４５〕ステップＳ４４におけるＳＬＴＥ（Ｗ）３０の予備側への切替え、およびＳＬＴＥ（Ｐ）３１の現用側への切替えが完了していることを、信号Ｓ２０により確認する。未だ切替わっていない場合にはステップＳ４４へ戻る。
【００７４】
〔Ｓ４６〕切替制御信号およびランプ点灯制御信号Ｓ１１を、ＳＤＨＭＵＸ（１）１０のＨＳ１７，１８およびＳＤＨＭＵＸ（２）２０のＨＳ２７，２８へ出力する。
【００７５】
〔Ｓ４７〕切替制御信号およびランプ点灯制御信号Ｓ１１を、ＨＳ１８はＨＲ１６ａおよびＨＲ１６ｂに転送し、ＨＳ２８はＨＲ２６ａおよびＨＲ２６ｂに転送する。これによって、ＨＲ１６ａが予備側に切替えられるとともにサービスランプが消灯され、ＨＲ１６ｂが現用側に切替えられるとともにサービスランプが点灯される。同様に、ＨＲ２６ａが予備側に切替えられるとともに消灯され、ＨＲ２６ｂが現用側に切替えられるとともに点灯される。
【００７６】
〔Ｓ４８〕ステップＳ４７における現用予備の切替えが完了していることを、信号Ｓ１４，Ｓ１７により確認する。未だ切替わっていない場合にはステップＳ４７へ戻る。
【００７７】
〔Ｓ４９〕ランプ点灯制御信号Ｓ１１を、ＨＳ１７はＨＴ１５ａおよびＨＴ１５ｂに転送し、ＨＳ２７はＨＴ２５ａおよびＨＴ２５ｂに転送する。これによって、ＨＴ１５ａのサービスランプが消灯され、ＨＴ１５ｂのサービスランプが点灯される。同様に、ＨＴ２５ａが消灯され、ＨＴ２５ｂが点灯される。
【００７８】
これにより、現用予備の正確な状態表示が実現する。
なお、上述した第１の実施の形態では、送受信同時切替えの制御モードにおいて、例えば、ＳＤＨＭＵＸ（１）１０のＨＴ１５ａに障害が発生した場合、ＳＷインタフェース４０の制御により、ＳＬＴＥ（Ｗ）３０のＯＳ３０ｃが予備側に、ＳＬＴＥ（Ｐ）３１のＯＳ３１ｃが現用側に切替えられる（ステップＳ４４）と同時に、ＳＤＨＭＵＸ（１）１０のＨＲ１６ａ、ＳＤＨＭＵＸ（２）２０のＨＲ２６ａが予備側に、ＳＤＨＭＵＸ（１）１０のＨＲ１６ｂ、ＳＤＨＭＵＸ（２）２０のＨＲ２６ｂが現用側に切替えられる（ステップＳ４７）。しかし、これに代わって、ＳＤＨＭＵＸ（１）１０のＨＴ１５ａに障害が発生した場合、ＳＷインタフェース４０の制御によらずに、ＳＬＴＥ（Ｗ）３０のＯＳ３０ｃを予備側に、ＳＬＴＥ（Ｐ）３１のＯＳ３１ｃを現用側に切替えると同時に、ＳＬＴＥ（Ｗ）３０のＴＲ３０ｄから出力されるべき光信号を遮断するようにしてもよい。すなわち、ＳＤＨＭＵＸ（１）１０のＨＲ１６ａは信号異常を検出するので、ＨＲ１６ａが予備に、ＨＲ１６ｂが現用に切替えられ、送受信同時切替えが実現する。
【００７９】
つぎに、第２の実施の形態を説明する。
図１０は、第２の実施の形態の説明図である。すなわち、第２の実施の形態では、図１０（Ａ）に示すように、現用の送信部５１と予備の受信部５２とを同一のパッケージに搭載し、また、予備の送信部５３と現用の受信部５４とを別の同一のパッケージに搭載するようにする。
【００８０】
こうした構成にすることにより、現用の送信部５１に障害が発生し、送信部５１が予備側に切替えられたとき、図１０（Ｂ）に示すように、同一パッケージに搭載された送信部５１および受信部５２が両方とも予備側にある。したがって、このパッケージを引き抜いて送信部５１を修理することが簡単にできる。こうした構成にしておけば、現用の受信部５４に障害が発生し、受信部５４が予備側に切替えられた場合でも同様である。
【００８１】
つぎに、第３の実施の形態を説明する。
図１１は、第３の実施の形態の構成を示すブロック図である。第３の実施の形態の構成は第１の実施の形態の構成と基本的には同じであるので、同じ構成部分には同じ符号を付して説明を省略する。
【００８２】
第３の実施の形態では、集中コントローラ６１を設ける。集中コントローラ６１は、第１の実施の形態のＳＷインタフェース４０と基本的には同じ構成であるが、サービスランプの点灯消灯の制御方法に違いがある。すなわち、集中コントローラ６１は、切替えを行うことが可能な装置に対してのみ、現用側の装置のサービスランプを点灯させるとともに、予備側の装置のサービスランプを消灯させる。一方、切替えが行われない装置に対しては、現用側装置、予備側装置ともサービスランプを常時点灯させるようにする。こうした点灯消灯の制御方法をとれば、ＳＷインタフェース４０のような、ランプ点灯制御信号を出力するための制御から一部開放される。
【００８３】
すなわち、切替えが行われない装置、つまり送信側のＳＤＨＭＵＸ（１）１０のＨＴ１５ａ、ＨＴ１５ｂ、およびＳＤＨＭＵＸ（２）２０のＨＴ２５ａ、ＨＴ２５ｂ、並びに受信側のＳＬＴＥ（Ｗ）３０のＴＲ３０ｄ、ＴＲ３０ｅ、ＯＲ３０ｆ、およびＳＬＴＥ（Ｐ）３１のＴＲ３１ｄ、ＴＲ３１ｅ、ＯＲ３１ｆに対しては、常時点灯させるようにする。一方、切替えを行うことが可能な装置、つまり受信側のＳＤＨＭＵＸ（１）１０のＨＲ１６ａ、ＨＲ１６ｂ、およびＳＤＨＭＵＸ（２）２０のＨＲ２６ａ、ＨＲ２６ｂ、並びに送信側のＳＬＴＥ（Ｗ）３０のＴＳ３０ａ、ＴＳ３０ｂ、ＯＳ３０ｃ、およびＳＬＴＥ（Ｐ）３１のＴＳ３１ａ、ＴＳ３１ｂ、ＯＳ３１ｃに対しては、現用側のときには点灯させ、予備側のときには消灯させるようにする。
【００８４】
図１１は、図５に示す現用予備状態と同じ状態における各サービスランプの点灯消灯状態を示しており、図中、黒丸にて点灯を示し、白丸にて消灯を示している。
【００８５】
なお、この点灯消灯の制御方法では、常時点灯の部分に関しては現用予備の区別を、直列に接続された現用予備の区別がされている関連部分を見て判別する必要がある。そうしたことを考慮して、集中コントローラ６１内に図１２に示すような画像表示装置６１ａを設け、これの画像により、関連を知るようにする。
【００８６】
なお、第３の実施の形態では、切替えが行われない装置に対しては、現用側装置、予備側装置ともサービスランプを常時点灯させるようにしているが、これに代わって、切替えが行われない装置に対して、現用側装置、予備側装置ともサービスランプを常時消灯させる、つまりサービスランプを設けないようにしてもよい。
【００８７】
【発明の効果】
以上説明したように本発明では、同一の信号が入力されて、それぞれにおいて信号処理が行われる第１の回路および第２の回路の各出力信号を、対応する第１の異常検出手段および第２の異常検出手段によりそれぞれ監視し、例えば第１の異常検出手段が、第１の回路の出力信号に異常があることを検出すると、選択出力手段が、第２の回路の出力信号を選択して出力するようにする。
【００８８】
こうして、第１の回路と第２の回路とからなるシステムにおいて、現用予備の切替えを適切に行うことが可能となる。
また、第１の回路の各信号処理要素および第２の回路の各信号処理要素にそれぞれ現用予備の表示を行うランプを設けた場合に、同一回路の各信号処理要素のランプに対して同一の表示を行うように点灯制御を行う。これにより、現用予備の正確な表示が実現する。
【００８９】
さらにまた、第１の回路および第２の回路がそれぞれ送受信機能を備え、その送受信機能が各回路で同一パッケージに搭載されている場合には、送信機能部と受信機能部とを同時に切替えるようにする。これにより、パッケージを引き抜いて修理をすることができるようになる。
【図面の簡単な説明】
【図１】本発明の原理説明図である。
【図２】２つの端局装置ＳＤＨＭＵＸの構成を示すブロック図である。
【図３】端局装置ＳＬＴＥの構成を示すブロック図である。
【図４】ＳＤＨＭＵＸとＳＬＴＥとが接続された様子を示す図である。
【図５】図４において、各信号に異常がない場合のシステムの作動状態を示す図である。
【図６】ＳＷインタフェースを説明する図である。
【図７】送信側に異常が発生した場合のＳＷインタフェースの制御手順を示すフローチャートである。
【図８】受信側に異常が発生した場合のＳＷインタフェースの制御手順を示す第１のフローチャートである。
【図９】受信側に異常が発生した場合のＳＷインタフェースの制御手順を示す第２のフローチャートである。
【図１０】第２の実施の形態を説明する図であり、（Ａ）はその構成を示し、（Ｂ）は現用の送信部に障害があった場合に現用予備の切替えが行われた状態を示す。
【図１１】第３の実施の形態の構成を示すブロック図である。
【図１２】集中コントローラ内に設けられた画像表示装置の画面を示す図である。
【図１３】従来の二重化装置の構成を示す図であり、（Ａ）は第１の構成を、（Ｂ）は第２の構成を、（Ｃ）は第３の構成を示す。
【符号の説明】
１  第１の回路
２  第２の回路
３  第１の異常検出手段
４  第２の異常検出手段
５  選択出力手段
【図１】
0003765601.tif 000002
【図２】
0003765601.tif 000003
【図３】
0003765601.tif 000004
【図４】
0003765601.tif 000005
【図５】
0003765601.tif 000006
【図６】
0003765601.tif 000007
【図７】
0003765601.tif 000008
【図８】
0003765601.tif 000009
【図９】
0003765601.tif 000010
【図１０】
0003765601.tif 000011
【図１１】
0003765601.tif 000012
【図１２】
0003765601.tif 000013
【図１３】
0003765601.tif 000014